(57)【要約】【課題】電子書籍が表示されたページに対するユーザの直感的な操作によって、ユーザのニーズに合った動作を可能にする電子書籍表示装置及びプログラムを提供する。【解決手段】電子書籍を表示可能な電子書籍表示装置１は、電子書籍のページデータを表示するタッチパネルディスプレイ２５と、タッチパネルディスプレイ２５に、電子書籍の第１のページデータを表示するページ表示部１１と、タッチパネルディスプレイ２５に対する操作を受け付ける操作受付部１２と、操作受付部１２により第１の操作を受け付けた場合に、第１のページデータとは異なる同じ電子書籍の第２のページデータを、第１のページデータの上に重ねて表示させる重畳表示部１６とを備える。【選択図】図６
2017174201.tif 000002
【特許請求の範囲】
【請求項１】
電子書籍を表示可能な電子書籍表示装置であって、
電子書籍のページデータを表示するタッチパネルディスプレイと、
前記タッチパネルディスプレイに、電子書籍の第１のページデータを表示するページ表示手段と、
前記タッチパネルディスプレイ又は前記電子書籍表示装置に対する操作を受け付ける操作受付手段と、
前記操作受付手段により第１の操作を受け付けた場合に、前記第１のページデータとは異なる前記電子書籍の第２のページデータを、前記第１のページデータの上に重ねて表示させる重畳表示手段と、
を備えること、
を特徴とする電子書籍表示装置。
【請求項２】
請求項１に記載の電子書籍表示装置において、
前記第２のページデータは、前記第１のページデータよりも前のページを示すページデータであり、
前記操作受付手段が受け付けた前記第１の操作の度合いにより、前記第２のページデータを決定するページ決定手段を備えること、
を特徴とする電子書籍表示装置。
【請求項３】
請求項２に記載の電子書籍表示装置において、
前記ページ決定手段は、前記第２のページデータを、予め指定されたページデータの中から決定すること、
を特徴とする電子書籍表示装置。
【請求項４】
請求項２又は請求項３に記載の電子書籍表示装置において、
前記第１の操作は、前記タッチパネルディスプレイの任意の面に対する接触操作であり、
前記ページ決定手段は、前記第１の操作の持続時間が長いほど、又は、前記第１の操作により加える圧力の量が大きいほど、前記第１のページデータより前のページに戻る度合いを大きくした前記第２のページデータを決定すること、
を特徴とする電子書籍表示装置。
【請求項５】
請求項２から請求項４までのいずれかに記載の電子書籍表示装置において、
前記第１の操作による接触位置が前記第１のページデータが示す文字を含む場合に、前記文字及びその前後から単語を認識する単語認識手段を備え、
前記ページ決定手段は、前記単語認識手段により認識された前記単語を含む前記第２のページデータを決定すること、
を特徴とする電子書籍表示装置。
【請求項６】
請求項４又は請求項５に記載の電子書籍表示装置において、
前記操作受付手段が前記第１の操作を受け付けた後に、前記第１の操作に続けて第２の操作を受け付けたことに応じて、前記重畳表示手段が表示している前記第２のページデータを、前記第２の操作に対応して前後の内容を含むものに変更して表示させる表示変更手段を備えること、
を特徴とする電子書籍表示装置。
【請求項７】
請求項２又は請求項３に記載の電子書籍表示装置において、
前記第１の操作は、前記タッチパネルディスプレイの任意の位置に対して接触した後に接触位置を移動させる操作であり、
前記ページ決定手段は、前記第１の操作による移動距離が長く、又は、移動速度が速いほど、前記第１のページデータより前のページに戻る度合いを大きくした前記第２のページデータを決定すること、
を特徴とする電子書籍表示装置。
【請求項８】
請求項２又は請求項３に記載の電子書籍表示装置において、
前記第１の操作は、前記タッチパネルディスプレイの任意の面に対する接触操作であり、
前記ページ決定手段は、前記第１の操作による接触している面の数が多いほど、前記第１のページデータより前のページに戻る度合いを大きくした前記第２のページデータを決定すること、
を特徴とする電子書籍表示装置。
【請求項９】
請求項２から請求項８までのいずれかに記載の電子書籍表示装置において、
前記ページ決定手段による決定状況を表示させる決定状況表示手段を備えること、
を特徴とする電子書籍表示装置。
【請求項１０】
請求項４から請求項８までのいずれかに記載の電子書籍表示装置において、
前記操作受付手段が第３の操作を受け付けた場合に、前記重畳表示手段により表示している前記第２のページデータを消去させる消去手段を備え、
前記第３の操作は、前記タッチパネルディスプレイから接触物を離す操作であること、
を特徴とする電子書籍表示装置。
【請求項１１】
請求項２又は請求項３に記載の電子書籍表示装置において、
傾きを検出する傾き検出部を備え、
前記第１の操作は、前記電子書籍表示装置を傾けて戻す操作であり、
前記ページ決定手段は、前記第１の操作により前記傾き検出部が検出した傾きの度合いが大きいか、傾けている時間が長いか、又は、傾きの速度が速いほど、前記第１のページデータより前のページに戻る度合いを大きくした前記第２のページデータを決定すること、
を特徴とする電子書籍表示装置。
【請求項１２】
請求項１１に記載の電子書籍表示装置において、
前記ページ決定手段による決定状況を、音により出力させる決定状況出力手段を備えること、
を特徴とする電子書籍表示装置。
【請求項１３】
請求項１１又は請求項１２に記載の電子書籍表示装置において、
前記操作受付手段が第３の操作を受け付けた場合に、前記重畳表示手段により表示している前記第２のページデータを消去させる消去手段を備え、
前記第３の操作は、前記第１の操作と同じ操作であること、
を特徴とする電子書籍表示装置。
【請求項１４】
請求項１から請求項１３までのいずれかに記載の電子書籍表示装置としてコンピュータを機能させるためのプログラム。
【発明の詳細な説明】
【技術分野】
【０００１】
本発明は、電子書籍表示装置及びプログラムに関する。
【背景技術】
【０００２】
電子書籍を含む本を、読みかけの状態でしばらく経ってから続きを読もうとした場合に、直前の内容を忘れてしまっていることがある。そのような場合に、電子書籍において、要約データを表示することで、前回までの内容の理解を補う装置が開示されている（例えば、特許文献１）。他方、電子化されていない本では、読みかけのページの位置から前のページに移動して内容を確認した後に、再度、読みかけのページの位置に戻って読み進めることが行われる。
ところで、電子書籍は、電子化されていない本とは、操作に関する部分が異なる。そこで、タッチスクリーンに関するユーザインタフェースに関する方法が開示されている（例えば、特許文献２）。
【先行技術文献】
【特許文献】
【０００３】
【特許文献１】特開２０１３−３８０４号公報
【特許文献２】特許第５７０９８７１号公報
【発明の概要】
【発明が解決しようとする課題】
【０００４】
電子書籍は、操作性の向上により、さらに普及するものになると考えられる。一方、電子化されていない本のニーズもあり、電子書籍においては、電子化されていない本と同じような動きを可能にする操作性が求められる。
【０００５】
そこで、本発明は、電子書籍が表示されたページに対するユーザの直感的な操作によって、ユーザのニーズに合った動作を可能にする電子書籍表示装置及びプログラムを提供することを目的とする。
【課題を解決するための手段】
【０００６】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００７】
第１の発明は、電子書籍を表示可能な電子書籍表示装置（１，２０１）であって、電子書籍のページデータを表示するタッチパネルディスプレイ（２５）と、前記タッチパネルディスプレイに、電子書籍の第１のページデータを表示するページ表示手段（１１）と、前記タッチパネルディスプレイ又は前記電子書籍表示装置に対する操作を受け付ける操作受付手段（１２，２１２）と、前記操作受付手段により第１の操作を受け付けた場合に、前記第１のページデータとは異なる前記電子書籍の第２のページデータを、前記第１のページデータの上に重ねて表示させる重畳表示手段（１６）と、を備えること、を特徴とする電子書籍表示装置である。
第２の発明は、第１の発明の電子書籍表示装置（１，２０１）において、前記第２のページデータは、前記第１のページデータよりも前のページを示すページデータであり、前記操作受付手段（１２，２１２）が受け付けた前記第１の操作の度合いにより、前記第２のページデータを決定するページ決定手段（１４，２１４）を備えること、を特徴とする電子書籍表示装置である。
第３の発明は、第２の発明の電子書籍表示装置において、前記ページ決定手段は、前記第２のページデータを、予め指定されたページデータの中から決定すること、を特徴とする電子書籍表示装置である。
第４の発明は、第２の発明又は第３の発明の電子書籍表示装置（１）において、前記第１の操作は、前記タッチパネルディスプレイ（２５）の任意の面に対する接触操作であり、前記ページ決定手段（１４）は、前記第１の操作の持続時間が長いほど、又は、前記第１の操作により加える圧力の量が大きいほど、前記第１のページデータより前のページに戻る度合いを大きくした前記第２のページデータを決定すること、を特徴とする電子書籍表示装置である。
第５の発明は、第２の発明から第４の発明までのいずれかの電子書籍表示装置において、前記第１の操作による接触位置が前記第１のページデータが示す文字を含む場合に、前記文字及びその前後から単語を認識する単語認識手段を備え、前記ページ決定手段は、前記単語認識手段により認識された前記単語を含む前記第２のページデータを決定すること、を特徴とする電子書籍表示装置である。
第６の発明は、第４の発明又は第５の発明の電子書籍表示装置（１）において、前記操作受付手段（１２）が前記第１の操作を受け付けた後に、前記第１の操作に続けて第２の操作を受け付けたことに応じて、前記重畳表示手段（１６）が表示している前記第２のページデータを、前記第２の操作に対応して前後の内容を含むものに変更して表示させる表示変更手段（１７）を備えること、を特徴とする電子書籍表示装置である。
第７の発明は、第２の発明又は第３の発明の電子書籍表示装置（１）において、前記第１の操作は、前記タッチパネルディスプレイの任意の位置に対して接触した後に接触位置を移動させる操作であり、前記ページ決定手段（１４）は、前記第１の操作による移動距離が長く、又は、移動速度が速いほど、前記第１のページデータより前のページに戻る度合いを大きくした前記第２のページデータを決定すること、を特徴とする電子書籍表示装置である。
第８の発明は、第２の発明又は第３の発明の電子書籍表示装置（１）において、前記第１の操作は、前記タッチパネルディスプレイの任意の面に対する接触操作であり、前記ページ決定手段（１４）は、前記第１の操作による接触している面の数が多いほど、前記第１のページデータより前のページに戻る度合いを大きくした前記第２のページデータを決定すること、を特徴とする電子書籍表示装置である。
第９の発明は、第２の発明から第８の発明までのいずれかの電子書籍表示装置（１）において、前記ページ決定手段（１４）による決定状況を表示させる決定状況表示手段（１５）を備えること、を特徴とする電子書籍表示装置である。
第１０の発明は、第４の発明から第８の発明までのいずれかの電子書籍表示装置（１）において、前記操作受付手段（１２）が第３の操作を受け付けた場合に、前記重畳表示手段（１６）により表示している前記第２のページデータを消去させる消去手段（１８）を備え、前記第３の操作は、前記タッチパネルディスプレイ（２５）から接触物を離す操作であること、を特徴とする電子書籍表示装置である。
第１１の発明は、第２の発明又は第３の発明の電子書籍表示装置（２０１）において、傾きを検出する傾き検出部（２２７）を備え、前記第１の操作は、前記電子書籍表示装置を傾けて戻す操作であり、前記ページ決定手段（２１４）は、前記第１の操作により前記傾き検出部が検出した傾きの度合いが大きいか、傾けている時間が長いか、又は、傾きの速度が速いほど、前記第１のページデータより前のページに戻る度合いを大きくした前記第２のページデータを決定すること、を特徴とする電子書籍表示装置である。
第１２の発明は、第１１の発明の電子書籍表示装置（２０１）において、前記ページ決定手段（２１４）による決定状況を、音により出力させる決定状況出力手段（２１５）を備えること、を特徴とする電子書籍表示装置である。
第１３の発明は、第１１の発明又は第１２の発明の電子書籍表示装置（２０１）において、前記操作受付手段（２１２）が第３の操作を受け付けた場合に、前記重畳表示手段（１６）により表示している前記第２のページデータを消去させる消去手段（２１８）を備え、前記第３の操作は、前記第１の操作と同じ操作であること、を特徴とする電子書籍表示装置である。
第１４の発明は、第１の発明から第１３の発明までのいずれかの電子書籍表示装置（１，２０１）としてコンピュータを機能させるためのプログラム（２１ａ，２２１ａ）である。
【発明の効果】
【０００８】
本発明によれば、電子書籍が表示されたページに対するユーザの直感的な操作によって、ユーザのニーズに合った動作を可能にする電子書籍表示装置及びプログラムを提供することができる。
【図面の簡単な説明】
【０００９】
【図１】第１実施形態に係る電子書籍表示装置の機能ブロック図である。
【図２】第１実施形態に係る電子書籍表示装置の書籍データ記憶部の例を示す図である。
【図３】第１実施形態に係る電子書籍表示装置での表示処理を示すフローチャートである。
【図４】第１実施形態に係る電子書籍表示装置の表示例を示す図である。
【図５】第１実施形態に係る電子書籍表示装置でのオーバーレイ表示処理を示すフローチャートである。
【図６】第１実施形態に係る電子書籍表示装置の表示例を示す図である。
【図７】第１実施形態に係る電子書籍表示装置の表示例を示す図である。
【図８】第１実施形態に係る電子書籍表示装置の表示例を示す図である。
【図９】第１実施形態に係る電子書籍表示装置の他の表示例を示す図である。
【図１０】第２実施形態に係る電子書籍表示装置の機能ブロック図である。
【図１１】第２実施形態に係る電子書籍表示装置での表示処理を示すフローチャートである。
【図１２】第２実施形態に係る電子書籍表示装置の表示例を示す図である。
【図１３】第２実施形態に係る電子書籍表示装置でのオーバーレイ表示処理を示すフローチャートである。
【発明を実施するための形態】
【００１０】
以下、本発明を実施するための形態について、図を参照しながら説明する。なお、これは、あくまでも一例であって、本発明の技術的範囲はこれに限られるものではない。
（第１実施形態）
＜電子書籍表示装置１＞
図１は、第１実施形態に係る電子書籍表示装置１の機能ブロック図である。
図２は、第１実施形態に係る電子書籍表示装置１の書籍データ記憶部２２の例を示す図である。
電子書籍表示装置１は、電子書籍を表示する装置である。電子書籍表示装置１は、例えば、タブレット端末に代表されるコンピュータの機能を併せ持った携帯型の装置である。電子書籍表示装置１は、その他、スマートフォン等でもよい。また、電子書籍表示装置１は、電子書籍を表示する専用の端末であってもよい。
【００１１】
図１に示すように、電子書籍表示装置１は、制御部１０と、記憶部２０と、タッチパネルディスプレイ２５と、通信インタフェース部２９とを備える。
制御部１０は、電子書籍表示装置１の全体を制御する中央処理装置（ＣＰＵ）である。制御部１０は、記憶部２０に記憶されているオペレーティングシステム（ＯＳ）やアプリケーションプログラムを適宜読み出して実行することにより、上述したハードウェアと協働し、各種機能を実行する。
【００１２】
制御部１０は、ページ表示部１１（ページ表示手段）と、操作受付部１２（操作受付手段）と、操作種類判定部１３と、ページ決定部１４（ページ決定手段）と、決定状況表示部１５（決定状況表示手段）と、重畳表示部１６（重畳表示手段）と、変更表示部１７（変更表示手段）と、消去部１８（消去手段）とを備える。
ページ表示部１１は、電子書籍のうちユーザＰ（電子書籍表示装置１の操作者）が読みかけ中であったページ（以下、読みかけページという。）のページデータ（第１のページデータ）を、ページ表示画面に表示させる。
操作受付部１２は、ユーザＰの指によるタッチパネルディスプレイ２５に対する操作を受け付ける。
【００１３】
操作種類判定部１３は、操作受付部１２が受け付けた操作に基づいて、操作の種類がオーバーレイ表示の対象であるか否かを判定する。具体的には、操作受付部１２が受け付けた操作が、ユーザＰの指によるタッチパネルディスプレイ２５の面への長押し操作（第１の操作）である場合に、操作種類判定部１３は、オーバーレイ表示の対象であると判定する。
ページ決定部１４は、操作状況（操作の度合い）に応じて、オーバーレイ表示をさせるページを決定する。ここで、操作状況とは、例えば、長押し操作の時間の長さのことをいう。具体的には、ページ決定部１４は、長押し操作の時間が長いほど、オーバーレイ表示をさせるページを、より遡るように決定する。
決定状況表示部１５は、ページ決定部１４による決定状況を表示させる。具体的には、決定状況表示部１５は、オーバーレイ表示させるそのページ番号（表示位置）やスライダバーを表示させる。
重畳表示部１６は、ページ決定部１４が決定したページのページデータ（第２のページデータ）をオーバーレイ表示させる。ここで、オーバーレイ表示とは、ページ表示画面の上にオーバーレイ画面を重ねて表示させることをいう。
変更表示部１７は、オーバーレイ画面に表示されているページに関して、操作に対応して前後の内容が見えるように変更して表示させる。
消去部１８は、ユーザＰの指がタッチパネルディスプレイ２５から離れることで、表示されていたオーバーレイ画面を消去する。
なお、各処理の詳細については、後述する。
【００１４】
記憶部２０は、制御部１０が各種の処理を実行するために必要なプログラム、データ等を記憶するための半導体メモリ素子等の記憶領域である。
記憶部２０は、プログラム記憶部２１と、書籍データ記憶部２２とを備える。
プログラム記憶部２１は、各種のプログラムを記憶する記憶領域である。プログラム記憶部２１は、電子書籍表示プログラム２１ａを記憶している。
電子書籍表示プログラム２１ａは、電子書籍表示装置１の制御部１０が実行する各種機能を行うためのプログラムである。電子書籍表示プログラム２１ａは、予め電子書籍表示装置１にインストールされているものとする。
【００１５】
書籍データ記憶部２２は、電子書籍の書籍データを記憶する記憶領域である。書籍データ記憶部２２は、書籍に関するデータが記憶されている。図２に示すように、書籍データ記憶部２２は、書籍名と、書籍データと、読みかけページの位置情報とを対応付けて記憶する。書籍名は、書籍データが示す書籍の名称である。書籍データは、書籍の中身を示すデータであり、例えば、ＥＰＵＢや、ＰＤＦ等の形式のデータである。読みかけページの位置情報は、書籍データのうち読みかけページの位置を特定するための情報である。読みかけページの位置情報は、例えば、読みかけ時点での文字数を使用して、％表示と示すことができる。未だユーザＰが読み始めていない場合には、位置情報は、０％である。なお、ページの位置情報として、ページ数（番号）を用いてもよい。
図２に示す例では、書籍名「春ちゃんとたま」は、ユーザＰによって読みかけであり、書籍名「○×△」は、ユーザＰがまだ読み始めていないことを示す。
書籍データ記憶部２２に記憶されている書籍データは、例えば、電子書籍ストアを構成する電子書籍サーバ（図示せず）から、通信ネットワークを介してダウンロードされたものである。
【００１６】
図１に戻り、タッチパネルディスプレイ２５は、液晶パネル等で構成される表示部としての機能と、ユーザＰからの指等によるタッチ入力を検出する入力部としての機能とを有する。
通信インタフェース部２９は、通信ネットワークを介して他の装置（例えば、電子書籍サーバ）との通信を行うためのインタフェース部である。
【００１７】
＜電子書籍表示装置１の処理＞
次に、電子書籍表示装置１の処理について説明する。
図３は、第１実施形態に係る電子書籍表示装置１での表示処理を示すフローチャートである。
図４及び図６から図８までは、第１実施形態に係る電子書籍表示装置１の表示例を示す図である。
図５は、第１実施形態に係る電子書籍表示装置１でのオーバーレイ表示処理を示すフローチャートである。
図３のステップＳ（以下、「Ｓ」という。）１０において、制御部１０は、初期画面３０を、タッチパネルディスプレイ２５に表示させる。
図４（Ａ）は、電子書籍表示装置１に表示された初期画面３０の例を示す。初期画面３０は、書籍データ記憶部２２に記憶されている書籍データの書籍名を、ユーザＰによって選択可能な態様で表示した画面である。
【００１８】
図３に戻り、Ｓ１１において、ユーザＰが初期画面３０から１つの書籍名を選択する操作をすることで、制御部１０（ページ表示部１１）は、選択された書籍名に対応する書籍データを、書籍データ記憶部２２から取得する。そして、制御部１０（ページ表示部１１）は、読みかけページの位置情報に対応するページデータ（第１のページデータ）を抽出して、ページ表示画面３１に表示する。
図４（Ｂ）は、電子書籍表示装置１に表示されたページ表示画面３１の例を示す。ページ表示画面３１には、書籍名が「春ちゃんとたま」の７ページ目が表示されている。
【００１９】
図３に戻り、Ｓ１２において、制御部１０（操作受付部１２）は、タッチパネルディスプレイ２５に対する操作を受け付けたか否かを判断する。タッチパネルディスプレイ２５に対する操作を受け付けた場合（Ｓ１２：ＹＥＳ）には、制御部１０は、処理をＳ１３に移す。他方、タッチパネルディスプレイ２５に対する操作を受け付けていない場合（Ｓ１２：ＮＯ）は、制御部１０は、本処理に留まる。
Ｓ１３において、制御部１０（操作種類判定部１３）は、受け付けた操作がオーバーレイ表示に関するものであるか否かを判断する。ここでは、ユーザＰの指によるタッチパネルディスプレイ２５の長押しが、オーバーレイ表示に関する操作（第１の操作）であるものとし、その場合を例に説明する。オーバーレイ表示に関するものである場合（Ｓ１３：ＹＥＳ）には、制御部１０は、処理をＳ１４に移す。他方、オーバーレイ表示に関するものではない場合（Ｓ１３：ＮＯ）には、制御部１０は、処理をＳ１５に移す。
Ｓ１４において、制御部１０は、オーバーレイ表示処理を行う。その後、制御部１０は、処理をＳ１６に移す。
【００２０】
ここで、オーバーレイ表示処理について、図５に基づき説明する。
図５のＳ３０において、制御部１０（ページ決定部１４）は、操作状況（度合い）によって、オーバーレイ表示をさせるページデータ（第２のページデータ）を決定する。この例では、制御部１０は、長押しする時間に応じてページデータを決定するものであり、時間が長くなるほど、より前のページデータに遡る。
Ｓ３１において、制御部１０（重畳表示部１６）は、ページ決定部１４が決定したページデータを表示するオーバーレイ画面３２を、ページ表示画面３１の上に重ねて表示させる。その際、制御部１０（決定状況表示部１５）は、操作の状況を視覚的に表示させる。
図６は、オーバーレイ画面３２が表示された電子書籍表示装置１の例を示す。電子書籍表示装置１は、タッチパネルディスプレイ２５に、オーバーレイ画面３２を、ページ表示画面３１の上に重ねて表示している。また、オーバーレイ画面３２には、表示しているページの位置情報（この例では、２％）が表示されている。
【００２１】
図５に戻り、Ｓ３２において、制御部１０（操作受付部１２）は、タッチパネルディスプレイ２５に対するユーザＰの指による接触を検出中であるか否かを判断する。接触を検出中である場合（Ｓ３２：ＹＥＳ）には、制御部１０は、処理をＳ３３に移す。他方、接触を検出しなくなった場合（Ｓ３２：ＮＯ）には、制御部１０は、処理をＳ３５に移す。ここで、接触を検出しなくなった場合とは、ユーザＰの指が、タッチパネルディスプレイ２５から離れた場合をいう。つまり、ユーザＰが指をタッチパネルディスプレイ２５から離す操作（第３の操作）をした場合である。
【００２２】
Ｓ３３において、制御部１０（操作受付部１２）は、スライド操作（第２の操作）を受け付けたか否かを判断する。ここで、スライド操作とは、ユーザＰの指を、例えば、左右のいずれかの方向に移動させる操作をいう。スライド操作を受け付けた場合（Ｓ３３：ＹＥＳ）には、制御部１０は、処理をＳ３４に移す。他方、スライド操作を受け付けていない場合（Ｓ３３：ＮＯ）には、制御部１０は、処理をＳ３２に移す。
ここで、スライド操作を受け付けていない場合とは、ユーザＰが、指を最初にタッチパネルディスプレイ２５に接触させてから、その指を動かさずに長押しし続けている状態をいう。その場合には、制御部１０は、処理をＳ３２に戻し、長押ししている時間に応じて、前のページに遡ったページデータを決定して、オーバーレイ画面３２の表示を変更する処理を行う。
【００２３】
Ｓ３４において、制御部１０（変更表示部１７）は、スライド操作に応じて、オーバーレイ画面３２に表示されているページデータの前後の内容が見えるように、オーバーレイ画面３２に表示するページデータの内容を変更する。その後、制御部１０は、処理をＳ３２に移す。
図７は、ユーザＰの指を右方向にスライドさせた場合に、電子書籍表示装置１に表示されたオーバーレイ画面３２の例を示す。この図の例のように、ユーザＰの指を右方向にスライドすると、制御部１０は、オーバーレイ画面３２に表示されていたページデータを、次のページの内容が見えるようにスライドさせて表示させる。なお、ユーザＰの指を左方向にスライドした場合には、制御部１０は、オーバーレイ画面３２に表示されていたページデータを、前のページの内容が見えるようにスライドさせて表示させる。
【００２４】
このように、ユーザＰの指によるスライド操作により、操作に応じた内容を表示させることで、直感的な操作に合った内容を表示させることができる。
なお、ユーザＰの指をスライドさせる方向は、左右方向に限定するものではない。例えば、ユーザＰの指を上方向にスライドさせた場合には、制御部１０は、次のページの内容が見えるようにし、ユーザＰの指を下方向にスライドさせた場合には、制御部１０は、前のページの内容が見えるようにしてもよい。
【００２５】
図５に戻り、Ｓ３５において、制御部１０（消去部１８）は、タッチパネルディスプレイ２５に表示させていたオーバーレイ画面３２を消去させる。その後、制御部１０は、本処理を終了し、処理を図３に移す。
図８は、ユーザＰの指をタッチパネルディスプレイ２５から離したときの電子書籍表示装置１の表示例である。タッチパネルディスプレイ２５には、直前まで表示されていたオーバーレイ画面３２が消えて、元のページ表示画面３１のみが表示された状態になる。
このように、ユーザＰが継続して接触させ続けていた指を離す、という直観的な操作によって、制御部１０は、直前まで表示していたオーバーレイ画面３２を消去させることができる。よって、ユーザＰは、直ちに読みかけページから読み始めることができる。
【００２６】
図３に戻り、Ｓ１５において、制御部１０は、通常の操作を行う。通常の操作とは、例えば、ページ表示画面３１の左側がタップされた場合には、次のページに進み、右側がタップされたら前のページに戻る、といった処理をいう。また、通常の操作とは、例えば、図示しない操作画面の操作ボタンを選択する場合をいう。
Ｓ１６において、制御部１０は、終了ボタン（図示せず）が選択されることで、電子書籍表示装置１での表示を終了するか否かを判断する。表示を終了する場合（Ｓ１６：ＹＥＳ）には、制御部１０は、処理をＳ１７に移す。他方、表示を終了しない場合（Ｓ１６：ＮＯ）には、制御部１０は、処理をＳ１２に移す。
Ｓ１７において、制御部１０は、ページ表示画面３１に表示されているページの位置情報を、書籍データ記憶部２２の該当の書籍名に対応した読みかけページの位置情報に記憶させる。その後、制御部１０は、本処理を終了する。
【００２７】
次に、オーバーレイ表示をする他の操作例を説明する。
上述の例では、長押しの時間に応じて、オーバーレイ画面３２の表示が変化するものを説明した。しかし、他の操作によっても、同様にオーバーレイ画面３２の表示を変化させることができる。
（例１）加圧の大きさによる表示
制御部１０（操作受付部１２）がユーザＰの指がタッチパネルディスプレイ２５に印加する操作（第１の操作）を受け付けることで、制御部１０（ページ決定部１４）は、その圧力に応じて、オーバーレイ画面３２に表示させるページデータを決定してもよい。この場合、タッチパネルディスプレイ２５は、検出した圧力データを制御部１０に送出することで、制御部１０は、圧力データの値に応じてページデータを決定する。その際、制御部１０は、圧力データの値が大きいほど、前のページに遡る度合いを大きくする。
【００２８】
（例２）ドラッグの距離による表示
制御部１０（操作受付部１２）は、ユーザＰの指によって、タッチパネルディスプレイ２５に接触した後にその指を移動させる操作（第１の操作）を受け付ける。そうすることで、制御部１０（ページ決定部１４）は、その移動距離に応じて、オーバーレイ画面３２に表示させるページデータを決定してもよい。この場合、スライド操作を判別可能にするために、制御部１０は、速度が０にならない描画の軌跡を検出し続ける限りにおいて、その移動距離に応じたページデータを決定するようにすればよい。その際、制御部１０は、移動距離が長いほど、前のページに遡る度合いを大きくする。なお、制御部１０は、検出した位置の移動速度が０になった場合には、その後さらに移動を検出しても、ページデータを遡ることはせずに、オーバーレイ画面３２をスライド表示させる。
【００２９】
（例３）同時タッチ数による表示
制御部１０（操作受付部１２）は、ユーザＰの複数の指をタッチパネルディスプレイ２５に同時に接触させる操作（第１の操作）を受け付ける。そうすることで、制御部１０（ページ決定部１４）は、タッチパネルディスプレイ２５の面に同時に接触している位置の数、つまり、タッチパネルディスプレイ２５に同時に接触しているユーザＰの指の数に応じて、オーバーレイ画面３２に表示させるページデータを決定してもよい。この場合、タッチパネルディスプレイ２５は、接触している位置の数を制御部１０に送出することで、制御部１０は、タッチ位置の数に応じたページデータを決定する。その際、制御部１０は、タッチ位置の数が多いほど、前のページに遡る度合いを大きくする。
なお、接触位置が２か所の場合には、ピンチインやピンチアウト操作があることから、制御部１０がオーバーレイ画面３２を表示させる同時接触数を、３か所以上とすることが望ましい。
【００３０】
次に、オーバーレイ表示に関する表示例を説明する。
上述の例では、オーバーレイ画面３２に表示されているページデータの位置を、ページの位置情報を表示することによって示すものを説明した。しかし、他の表示方法であっても、同様にオーバーレイ画面３２に表示されているページデータの位置を把握できる。
図９は、第１実施形態に係る電子書籍表示装置１の他の表示例を示す図である。
【００３１】
（例１）ページの色の変化
図９（Ａ）に示すように、制御部１０（決定状況表示部１５）は、ページ表示画面３１に表示されているページの位置情報と、オーバーレイ画面３２に表示されているページの位置情報との離れ度合いに応じて、ページ表示画面３１の色を変化させる。例えば、制御部１０（決定状況表示部１５）は、ページ表示画面３１に表示されているページの位置情報と、オーバーレイ画面３２に表示されているページの位置情報とが離れるほど、ページ表示画面３１の色を濃い色（例えば、黒色）に変化させる。具体的には、１ページしか離れていない場合には、ページ表示画面３１の色には変化がなく白色であるが（図９（Ａ−１））、１０ページ程度離れると、ページ表示画面３１の色が少し灰色っぽくなり（図９（Ａ−２））、５０ページ程度離れると、ページ表示画面３１の色が黒っぽい色になる（図９（Ａ−３））。
このように表示することで、ユーザＰは、ページ表示画面３１の色の変化によって、オーバーレイ画面３２に表示されているページの遡り度合いが確認できる。また、ユーザＰが読むオーバーレイ画面３２の色は変化しないので、オーバーレイ画面３２が読みやすい状態を維持できる。
【００３２】
（例２）スケール表示
図９（Ｂ）に示すように、制御部１０（決定状況表示部１５）は、ページ表示画面３１に表示されているページと先頭ページとを両端にしたスライダバー３３ａを表示し、オーバーレイ画面３２に表示されているページ位置を、スライダ３３ｂで表示する。
このようにすれば、オーバーレイ画面３２に表示されているページ位置の変化が、スライダ３３ｂによって示されるため、ユーザＰは、スライダ３３ｂの位置によって遡った度合いが確認できる。
なお、制御部１０は、スライダバー３３ａの長さを、この書籍データの全ページ分の長さとし、ページ表示画面３１とオーバーレイ画面３２との各ページ位置を、スライダによって表示するようにしてもよい。
【００３３】
（例３）厚みを視覚的に表す
図９（Ｃ）に示すように、制御部１０（決定状況表示部１５）は、ページ表示画面３１に表示されているページの位置情報と、オーバーレイ画面３２に表示されているページの位置情報との離れ度合いに応じて、オーバーレイ画面３２を立体的に表示させる厚み部３４を変化させる。制御部１０は、ページ表示画面３１と、オーバーレイ画面３２とのページの位置情報が離れていくほど、厚み部３４の厚みを大きく変化させる。
このような方法によっても、ユーザＰが読んでいるオーバーレイ画面３２自体は変化しないので、オーバーレイ画面３２の読みやすい状態を維持しつつ、読みかけページとの差を直観的に把握でき、遡った度合いを確認しやすくできる。
【００３４】
このように、第１実施形態の電子書籍表示装置１によれば、以下のような効果がある。
（１）ユーザＰの指による長押し操作を受け付けた場合に、ページ表示画面３１に表示している読みかけページとは異なるページを、読みかけページの上にオーバーレイ表示させることができる。よって、読みかけページを残しつつ、別のページを表示させることができる。
（２）ユーザＰの指による長押し操作の操作時間に応じて、オーバーレイ表示をさせるページを遡るように変えることができる。よって、ユーザＰの指による操作のみによって、遡って見たいページを表示させることができ、操作が簡単である。
（３）ユーザＰの指による長押し操作中にスライド操作をすることで、オーバーレイ画面３２に表示されているページの内容を、スライド操作に応じて前後に移動させることができる。よって、オーバーレイ表示には、ちょっと前やちょっと後の内容を含めることができるので、ユーザＰに対する利便性を向上できる。
【００３５】
（４）オーバーレイ画面３２に表示されているページ位置を表示させることで、オーバーレイ画面３２に表示されているページの位置を、ユーザＰが確認できる。そして、オーバーレイ画面３２に表示させるページを遡る操作をしている途中であっても、途中でのページ位置を、決定状況として表示させることで、ユーザＰが遡る操作を止める際の参考にすることができる。
また、読みかけページから遡って表示されるオーバーレイ画面３２に表示されたページのページ位置を、表示態様を変化させることで示すため、ユーザＰにとって直感的に分かりやすい表示にできる。
（５）長押ししていたユーザＰの指を、タッチパネルディスプレイ２５から離すという簡易な操作によって、表示されていたオーバーレイ画面３２を消去することができる。よって、操作が簡単である。また、オーバーレイ画面３２を消去することで、オーバーレイ画面３２の下にある読みかけページを、ユーザＰにすぐに見せることができる。
【００３６】
（６）ユーザＰの指によるタッチパネルディスプレイ２５に対する加圧の大きさによっても、ユーザＰの指による長押し操作と同様に、オーバーレイ画面３２に別のページを表示させることができる。よって、簡単な操作によって、別ページをオーバーレイ表示させることができる。
そして、加圧の大きさが大きいほど、オーバーレイ画面３２に表示させる別ページの遡り度合いを大きく変えるため、別ページの決定を、直感的な操作によって行うことができる。
（７）ユーザＰの指がタッチパネルディスプレイ２５に接触してからその指を移動することによって、オーバーレイ画面３２に別のページを表示させることができる。よって、簡単な操作によって、別ページをオーバーレイ表示させることができる。
そして、移動距離が長いほど、オーバーレイ画面３２に表示させる別ページの遡り度合いを大きく変えるため、別ページの決定を、直感的な操作によって行うことができる。
（８）タッチパネルディスプレイ２５に同時に接触しているユーザＰの指の数が複数（例えば、３か所以上）であることを条件として、オーバーレイ画面３２に別のページを表示させることができる。よって、簡単な操作によって、別ページをオーバーレイ表示させることができる。
そして、同時接触数が多いほど、オーバーレイ画面３２に表示させる別ページの遡り度合いを大きく変えるため、別ページの決定を、直感的な操作によって行うことができる。
【００３７】
（第２実施形態）
第２実施形態では、タッチパネルディスプレイに対する接触操作ではなく、他の操作によって前のページデータをオーバーレイ表示させるものについて説明する。なお、以降の説明において、上述した第１実施形態と同様の機能を果たす部分には、同一の符号又は末尾に同一の符号を付して、重複する説明を適宜省略する。
【００３８】
＜電子書籍表示装置２０１＞
図１０は、第２実施形態に係る電子書籍表示装置２０１の機能ブロック図である。
電子書籍表示装置２０１は、制御部２１０と、記憶部２２０と、タッチパネルディスプレイ２５と、加速度センサ２２７（傾き検出部）と、スピーカ２２８と、通信インタフェース部２９とを備える。
制御部２１０は、ページ表示部１１と、操作受付部２１２と、ページ決定部２１４と、決定状況出力部２１５（決定状況出力手段）と、重畳表示部１６と、消去部２１８とを備える。
操作受付部２１２は、ユーザＰによるこの電子書籍表示装置２０１を傾けて戻す操作（第１の操作、第３の操作）を受け付ける。
【００３９】
ページ決定部２１４は、操作状況に応じて、オーバーレイ表示をさせるページを決定する。具体的には、ページ決定部２１４は、加速度センサ２２７が検出したこの電子書籍表示装置２０１が傾いている時間の長さに応じて、オーバーレイ表示をさせるページを決定する。
決定状況出力部２１５は、ページ決定部２１４による決定状況を、スピーカ２２８を介して出力させる。具体的には、決定状況出力部２１５は、オーバーレイ表示させるページの移動状況として、「パラパラ」という音を出力させる。
消去部２１８は、操作受付部２１２が受け付けた操作に応じて、表示されていたオーバーレイ画面３２を消去する。
【００４０】
記憶部２２０は、プログラム記憶部２１と、書籍データ記憶部２２とを備える。
プログラム記憶部２１は、電子書籍表示プログラム２２１ａを記憶している。
電子書籍表示プログラム２２１ａは、電子書籍表示装置２０１の制御部２１０が実行する各種機能を行うためのプログラムである。
加速度センサ２２７は、この電子書籍表示装置２０１の傾きを検出する。
スピーカ２２８は、音を出力する装置である。
【００４１】
＜電子書籍表示装置２０１の処理＞
次に、電子書籍表示装置２０１の処理について説明する。
図１１は、第２実施形態に係る電子書籍表示装置２０１での表示処理を示すフローチャートである。
図１２は、第２実施形態に係る電子書籍表示装置２０１の表示例を示す図である。
図１３は、第２実施形態に係る電子書籍表示装置２０１でのオーバーレイ表示処理を示すフローチャートである。
図１１のＳ２１０及びＳ２１１は、第１実施形態（図３）のＳ１０及びＳ１１と同様である。Ｓ２１１の処理によって、図１２（Ａ）に示すように、電子書籍表示装置２０１は、タッチパネルディスプレイ２５に、読みかけページのページ表示画面３１を表示している。
【００４２】
図１１に戻り、Ｓ２１２において、制御部２１０は、タッチパネルディスプレイ２５に対する操作を受け付けたか否かを判断する。タッチパネルディスプレイ２５に対する操作を受け付けた場合（Ｓ２１２：ＹＥＳ）には、制御部２１０は、処理をＳ２１３に移す。他方、タッチパネルディスプレイ２５に対する操作を受け付けていない場合（Ｓ２１２：ＮＯ）は、制御部２１０は、処理をＳ２１４に移す。
Ｓ２１３において、制御部２１０は、通常の操作を行う。通常の操作に関しては、第１実施形態で説明したものと同様である。
Ｓ２１４において、ユーザＰが電子書籍表示装置２０１を傾ける操作（第１の操作）をすることで、制御部２１０（操作受付部２１２）が、加速度センサ２２７からの検出信号によって傾きを検出したか否かを判断する。傾きを検出した場合（Ｓ２１４：ＹＥＳ）には、制御部２１０は、処理をＳ２１５に移す。他方、傾きを検出していない場合（Ｓ２１４：ＮＯ）には、制御部２１０は、処理をＳ２１６に移す。
Ｓ２１５において、制御部２１０は、オーバーレイ表示処理を行う。
【００４３】
ここで、オーバーレイ表示処理について、図１３に基づき説明する。
図１３のＳ２３０において、制御部２１０（決定状況出力部２１５）は、ページが捲られている態様を示すため、「パラパラ」という音を、スピーカ２２８から出力させる。
図１２（Ｂ）は、電子書籍表示装置２０１が傾いた状態で、音が出力されている態様を示す。
図１３に戻り、Ｓ２３１において、制御部２１０（ページ決定部２１４）は、操作状況（度合い）によって、オーバーレイ表示をさせるページデータを決定する。この例では、傾けている時間の長さに応じてページデータを決定するものであり、制御部２１０は、時間が長くなるほど、より前のページデータに遡るように制御する。
【００４４】
Ｓ２３２において、制御部２１０（操作受付部２１２）は、傾きを検出中であるか否かを判断する。傾きを検出中である場合（Ｓ２３２：ＹＥＳ）には、制御部２１０は、処理をＳ２３０に移す。他方、傾きを検出しなくなった場合（Ｓ２３２：ＮＯ）には、制御部２１０は、処理をＳ２３３に移す。なお、傾きを検出しなくなった場合とは、ユーザＰが、傾いていた電子書籍表示装置２０１を元の状態に戻す操作（第１の操作）をした場合をいう。
Ｓ２３３において、制御部２１０（重畳表示部１６）は、ページ決定部２１４が決定したページデータのオーバーレイ画面３２を、ページ表示画面３１の上に重ねて表示させる。図１２（Ｃ）は、オーバーレイ画面３２が表示された例を示す。
【００４５】
Ｓ２３４において、ユーザＰが電子書籍表示装置２０１を再度傾ける操作（第３の操作）をすることで、制御部２１０（操作受付部２１２）が、加速度センサ２２７からの検出信号によって傾きを検出したか否かを判断する。傾きを検出した場合（Ｓ２３４：ＹＥＳ）には、制御部２１０は、処理をＳ２３５に移す。他方、傾きを検出していない場合（Ｓ２３４：ＮＯ）には、制御部２１０は、本処理に留まる。
Ｓ２３５において、制御部２１０（操作受付部２１２）は、規定時間内に傾きを検出しなくなったか否かを判断する。ここで、規定時間とは、予め定められた時間であり、例えば、１秒等の短い時間である。つまり、ユーザＰが電子書籍表示装置２０１を傾ける操作をした後に、素早く元の状態に戻す操作（第３の操作）をすることで、制御部２１０は、規定時間内に傾きを検出しなくなったと判断する。規定時間内に傾きを検出しなくなった場合（Ｓ２３５：ＹＥＳ）には、制御部２１０は、処理をＳ２３６に移す。他方、規定時間を越えて傾きを検出中である場合（Ｓ２３５：ＮＯ）には、制御部２１０は、処理をＳ２３０に移す。
なお、この処理では、再度オーバーレイ表示させるページデータを決定させる処理と、オーバーレイ表示を消す処理とを、電子書籍表示装置２０１の傾きを検出している時間が規定時間内であるか否かにより区別しているが、他の区別方法によるものであってもよい。
【００４６】
Ｓ２３６において、制御部２１０（消去部２１８）は、表示されていたオーバーレイ画面３２を消去させる。図１２（Ｄ）及び（Ｅ）は、電子書籍表示装置２０１を再度傾けて戻す操作をした場合に、タッチパネルディスプレイ２５からオーバーレイ画面３２が消去された例を示す。その後、制御部２１０は、本処理を終了し、処理を図１１に移す。
図１１に戻り、Ｓ２１６及びＳ２１７の処理は、第１実施形態（図３）のＳ１６及びＳ１７と同様である。
【００４７】
次に、オーバーレイ表示をする他の例を説明する。
上述の例では、電子書籍表示装置２０１を傾けている時間に応じて、オーバーレイ画面３２の表示が変化するものを説明した。しかし、他の操作によっても、同様にオーバーレイ画面３２の表示を変化させることができる。
（例１）傾きの大きさによる表示
制御部２１０（ページ決定部）は、加速度センサ２２７が検出した傾きの度合いに応じて、オーバーレイ画面３２に表示させるページデータを決定してもよい。その際、制御部２１０は、加速度センサ２２７から取得した傾き度合いを示すデータが大きいほど、前のページに遡る度合いを大きくする。また、制御部２１０（決定状況出力部）は、前のページに遡る度合いに応じた音を出力する。例えば、遡るページ数が少ない場合には、制御部２１０は「パラパラ」という音をゆっくり出力する。他方、遡るページ数が多い場合には、制御部２１０は「パラパラ」という音を速く出力する。
【００４８】
（例２）傾きの速度による表示
制御部２１０（ページ決定部）は、加速度センサ２２７が検出した傾きの速度に応じて、オーバーレイ画面３２に表示させるページデータを決定してもよい。その際、制御部２１０は、加速度センサ２２７から取得した傾きの単位時間あたりの傾き度合いを示すデータが大きいほど、前のページに遡る度合いを大きくする。また、制御部２１０（決定状況出力部）は、上述の傾きの大きさの場合（例１）と同様に、音を出力できる。
【００４９】
このように、第２実施形態によれば、電子書籍表示装置２０１は、以下のような効果がある。
（１）ユーザＰが、電子書籍表示装置２０１を傾けて戻すという操作をすることで、ページ表示画面３１に表示している読みかけページとは異なるページを、読みかけページの上にオーバーレイ表示させることができる。よって、読みかけページを残しつつ、別のページを表示させることができる。
ユーザＰによる傾ける操作を受け付けた場合に、その傾けている時間の長さに応じて、オーバーレイ表示をさせるページの遡る度合いを変えることができる。よって、ユーザＰによる傾ける操作のみによって、遡って見たいページを表示させることができ、操作が簡単である。
【００５０】
（２）前のページに遡っている様子を音によって出力するので、電子書籍表示装置２０１を傾けることによって電子書籍表示装置２０１のタッチパネルディスプレイ２５がユーザＰから見えない状態であっても、ページの遡り状況をユーザＰが確認できる。
（３）ユーザＰによって、電子書籍表示装置２０１を再度傾けて戻すという操作をすることで、表示されていたオーバーレイ画面３２を消去することができる。このように、オーバーレイ画面３２を表示する操作と、消去する操作が同じ操作であるため、操作が簡単である。また、オーバーレイ画面３２を消去することで、オーバーレイ画面３２の下にある読みかけページを、ユーザＰにすぐに見せることができる。
【００５１】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００５２】
（変形形態）
（１）各実施形態では、ユーザによるオーバーレイ表示操作によって、読みかけページから順番に遡ったページをオーバーレイ画面に表示させるものを説明したが、これに限定されない。例えば、いわゆる、しおり機能を用いて、予めユーザが自分のお気に入りのページに印を付けておいた場合に、オーバーレイ画面には、印を付けたページを遡って表示するようにしてもよい。そのようにすることで、ユーザが予め重要だと思ったページ内で遡って表示させることができる。
（２）第１実施形態では、ユーザの指によるタッチパネルディスプレイへの接触によって、読みかけページから遡ったページを、オーバーレイ画面に表示させるものを説明したが、これに限定されない。例えば、ユーザの指による接触位置に文字を含む場合に、その文字を含む単語を認識し、オーバーレイ画面には、その単語を含むページを遡って表示するようにしてもよい。そのようにすることで、その単語が出てきたページをユーザが見ることができ、例えば、単語が登場人物であれば、登場人物の理解を深めることができる。
また、オーバーレイ画面に表示されるその単語を含むページは、最もその単語の説明がよくされているページとしてもよい。
【００５３】
（３）第１実施形態では、ユーザの指がタッチパネルディスプレイを長押ししている状態のときにオーバーレイ画面を表示させ、そのオーバーレイ画面の表示位置は固定であったが、これに限定されない。例えば、タッチパネルディスプレイを長押しつつ、その指を移動させることで、表示されているオーバーレイ画面を、指の移動位置に応じて上下左右にドラッグさせるようにしてもよい。
（４）第１実施形態では、ユーザの指がタッチパネルディスプレイから離れた場合に、オーバーレイ画面を消去させるものを説明したが、これに限定されない。所定の操作をした場合には、ユーザの指がタッチパネルディスプレイから離れても、オーバーレイ画面を表示し続けるようにしてもよい。そして、例えば、オーバーレイ画面をタッチ操作することで、表示し続けていたオーバーレイ画面を消去するようにしてもよい。
（５）第１実施形態では、ユーザの指がタッチパネルディスプレイを長押ししている状態のときにオーバーレイ画面に表示されるページが遡るものを説明した。そのページを遡る速度について、例えば、ユーザの指を上下左右のいずれかのオーバーレイ画面の枠までドラッグしたときには、ページが高速に移動し続けるものであってもよい。
【００５４】
（６）第２実施形態では、電子書籍表示装置の傾きを検出中である場合には、音を出力し、傾きを検出しなくなった場合に、オーバーレイ画面を表示するものを説明したが、これに限定されない。音の出力と共に、オーバーレイ画面を表示させるようにしてもよい。そして、表示させるオーバーレイ画面は、パラパラ捲るようなアニメーションの表示態様にしてもよい。そのようにすることで、音による効果の他に、ユーザが、電子書籍表示装置を傾けながらオーバーレイ画面に表示されたページを参照することで、表示したいページを探すことができる。
（７）各実施形態では、オーバーレイ画面を表示させる例を説明したが、このオーバーレイ画面の表示機能をＯＮ／ＯＦＦする設定を設けておき、設定がＯＦＦであれば、同じ動作をしても表示されないようにしてもよい。
また、ＯＮ／ＯＦＦする設定は、例えば、第２実施形態の場合には、傾きが軽度である場合には、ＯＦＦとし、一定値以上の傾きである場合に、ＯＮにするようにしてもよい。そのようにすることで、例えば、第２実施形態の場合には、電子書籍表示装置をユーザが意図しないで傾けた場合に、オーバーレイ画面が表示させることを防ぐことができる。
【００５５】
（８）各実施形態では、電子書籍表示装置が書籍データを記憶する書籍データ記憶部を備えるものを説明したが、これに限定されない。例えば、電子書籍表示装置が書籍データ記憶部を備えず、電子書籍サーバにある書籍データを使用するようにしてもよい。その場合には、電子書籍表示装置は、通信ネットワークを介して電子書籍サーバにアクセスして、電子書籍サーバに記憶された書籍データを表示させるようにすればよい。また、読みかけページの位置情報も、電子書籍サーバに送信することで、電子書籍サーバが記憶すればよい。
（９）各実施形態では、ページ表示画面の上に表示するオーバーレイ画面を、ページ表示画面を一部隠すような態様で示したが、これに限定されない。電子書籍表示装置は、オーバーレイ画面を、例えば、ページ表示画面の全体を覆うように表示させてもよい。また、オーバーレイ画面を矩形で示したが、これに限定されない。例えば、オーバーレイ画面を吹き出しのような形で表してもよい。
【符号の説明】
【００５６】
１，２０１  電子書籍表示装置
１０，２１０  制御部
１１  ページ表示部
１２，２１２  操作受付部
１４，２１４  ページ決定部
１５  決定状況表示部
１６  重畳表示部
１７  変更表示部
１８，２１８  消去部
２０，２２０  記憶部
２１ａ，２２１ａ  電子書籍表示プログラム
２２  書籍データ記憶部
２５  タッチパネルディスプレイ
３１  ページ表示画面
３２  オーバーレイ画面
２１５  決定状況出力部
２２７  加速度センサ
２２８  スピーカ
Ｐ    ユーザ
【図１】
2017174201.tif 000003
【図２】
2017174201.tif 000004
【図３】
2017174201.tif 000005
【図４】
2017174201.tif 000006
【図５】
2017174201.tif 000007
【図６】
2017174201.tif 000008
【図７】
2017174201.tif 000009
【図８】
2017174201.tif 000010
【図９】
2017174201.tif 000011
【図１０】
2017174201.tif 000012
【図１１】
2017174201.tif 000013
【図１２】
2017174201.tif 000014
【図１３】
2017174201.tif 000015